(57)【特許請求の範囲】
【請求項１】
外周面に被係止手段が形成されている容器本体に適用される、中央部に開口を有する合成樹脂製カバー部材にして、
環状内側壁と該内側壁を囲繞する環状外側壁とを有し、
該内側壁の内周面には該容器本体の該被係止手段に係止せしめられる係止手段が形成されており、
該内側壁にはその下端から上方に向けて延びる複数個のスリットが周方向に間隔をおいて形成されており、
該内側壁と該外側壁とは周方向に間隔をおいて配設された複数個の易破断橋絡部を介して相互に連結されており、
該内側壁と該外側壁とは、環状体を成形した後に、該環状体を半径方向中間部において環状に切断することによって形成されていて、該外側壁の内周面は該内側壁の外周面に密接せしめられている、
ことを特徴とするカバー部材。
【請求項２】
該係止手段は該内側壁の下端部に形成されている、請求項１記載のカバー部材。
【請求項３】
該橋絡部は該内側壁の外周面下端部と該外側壁の内周面下端部との間に形成されている、請求項１又は２記載のカバー部材。
【請求項４】
該容器本体は噴出容器の容器本体であって、上端部に被巻き締めカールが形成されている金属薄板製主部材と該被巻き締めカールに巻き締められた巻き締めカールが外周縁部に形成されている金属薄板製マウンテンカップ部材とを有し、該巻き締めカールが該被係止手段を構成している、請求項１から３までのいずれかに記載のカバー部材。
【発明の詳細な説明】
【０００１】
【発明の属する技術分野】
本発明は、噴出容器（容器内に収容した液体、ペースト、シロップ、粉体等が容器内に収容した液化ガス噴射剤と共に霧状、泡状、液状等で噴出する形態の容器）等の容器本体に適用される合成樹脂製カバー部材に関する。
【０００２】
【従来の技術】
特開平４−２４２５７６号公報及び実開平４−４４１９０号公報等に開示されている如く、一般にエアゾール容器と称されている噴出容器は、金属薄板製の容器本体を具備している。この容器本体は上端部に被巻き締めカールが形成されている主部材と、主部材の被巻き締めカールに巻き締められた巻き締めカールが該周縁部に形成されているマウンテンカップ部材とから構成されている。マウンテンカップ部材の中央部には噴出弁部材を含む噴出手段が装着されている。噴出弁部材は上方に突出せしめられており、その上端部には噴出路が形成されている合成樹脂製押圧部材が装着されている。押圧部材を押圧して噴出弁部材を下降せしめると、噴出弁部材が開状態にせしめられて押圧部材の噴出路を通して、容器本体内に収容されている内容物が噴出される。容器本体には、更に、合成樹脂製カバー部材が装着されている。このカバー部材は環状壁を含んでおり、かかる環状壁の内周面には環状突条でよい係止手段が形成されている。かようなカバー部材はその係止手段をマウンテンカップ部材の巻き締めカールに係止せしめることによって、容器本体に装着される。カバー部材には、必要に応じて、上記押圧部材を覆う合成樹脂製蓋体が着脱自在に装着される。
【０００３】
【発明が解決しようとする課題】
而して、内容物を消費した後に容器を廃品として投棄する際には、資源再利用等の見地からできる限り材料別に分離して投棄することが望まれる。かような材料別分離投棄のためには、上述した噴出容器においては、合成樹脂製である押圧部材、カバー部材及び蓋体を容器本体から分離することが必要である。然るに、従来の噴出容器においては、押圧部材及び蓋体は充分容易に分離し得るが、係止手段を容器本体の被係止手段に係止せしめて容器本体に装着されているカバー部材を容器本体から分離せしめることは相当困難であった。容器本体からカバー部材を分離するには、例えばナイフを使用してカバー部材を切断する等の作業が必要であった。
【０００４】
容器本体の被係止手段とカバー部材の係止手段との相互係止作用を緩やかなものにせしめて、容器本体からカバー部材を容易に分離せしめることができるようになすことも意図され得る。しかしながら、かようにせしめると、必然的に容器本体に対するカバー部材の係止が不充分なものになり、例えば内容物を噴出せしめるためにカバー部材から蓋体を離脱せしめる時に、カバー部材から蓋体が離脱されることなくカバー部材と蓋体との双方が容器本体から離脱されてしまうという事態が発生する虞がある。
【０００５】
本発明は上記事実に鑑みてなされたものであり、その技術的課題は、上述した噴出容器の容器本体の如き、外周面に被係止手段が形成されている容器本体に適用される合成樹脂製カバー部材にして、容器本体に充分確実に係止されるにもかかわらず、廃品として投棄する際には容器本体からナイフ等を使用する必要なくして充分容易に分離することができる、新規且つ改良されたカバー部材を提供することである。
【０００６】
【課題を解決するための手段】
上記技術的課題を解決するカバー部材として、本発明によれば、外周面に被係止手段が形成されている容器本体に適用される、中央部に開口を有する合成樹脂製カバー部材にして、
環状内側壁と該内側壁を囲繞する環状外側壁とを有し、
該内側壁の内周面には該容器本体の該被係止手段に係止せしめられる係止手段が形成されており、
該内側壁にはその下端から上方に向けて延びる複数個のスリットが周方向に間隔をおいて形成されており、
該内側壁と該外側壁とは周方向に間隔をおいて配設された複数個の易破断橋絡部を介して相互に連結されており、
該内側壁と該外側壁とは、環状体を成形した後に、該環状体を半径方向中間部において環状に切断することによって形成されていて、該外側壁の内周面は該内側壁の外周面に密接せしめられている、
ことを特徴とするカバー部材が提供される。
【０００７】
該係止手段は該内側壁の下端部に形成されているのが好都合であり、該該橋絡部は該内側壁の外周面下端部と該外側壁の内周面下端部との間に形成されているのが好適である。
好適実施形態においては、該容器本体は噴出容器の容器本体であって、上端部に被巻き締めカールが形成されている金属薄板製主部材と該被巻き締めカールに巻き締められた巻き締めカールが外周縁部に形成されている金属薄板製マウンテンカップ部材とを有し、該巻き締めカールが該被係止手段を構成している。
【０００８】
【作用】
容器本体にカバー部材が所要とおりに装着されている状態においては、内側壁を囲繞しこれに密接している外側壁の拘束作用によって、内側壁は周方向に間隔をおいて複数個のスリットが形成されているにもかかわらず半径方向外側に変形することが充分に阻止され、従って内側壁に形成されている係止手段が容器本体の被係止手段に充分確実に係止され、かくして容器本体からカバー部材が偶発的に離脱されることが確実に防止される。一方、内容物を消費した後に容器を投棄する時には、カバー部材の外側壁を内側壁に対して相対的に上方に強制する。かくすると、内側壁と外側壁とを連結している橋絡部が破断され、外側壁による拘束作用が解消される故に、周方向に間隔をおいて形成されている複数個のスリットに起因して、内側壁は充分容易に半径方向外側に変形することができ、従って内側壁に形成されている係止手段が容器本体の被係止手段から充分容易に離脱せしめられ、容器本体から充分容易に分離される。
【０００９】
【発明の実施の形態】
以下、本発明に従って構成されたカバー部材の好適実施形態を含んでいる噴出容器を図示している添付図面を参照して、更に詳細に説明する。
【００１０】
図１には噴出容器が図示されており、この噴出容器は全体を番号２で示す容器本体を具備している。容器本体２は主部４とマウンテンカップ部材６とを含んでいる。主部４及びマウンテンカップ部材６はブリキ薄板又はアルミニウム薄板の如き適宜の金属薄板から形成されている。主部４は円形底壁８とこの底壁８の外周縁から上方に延びる側壁１０とを有する。側壁１０は円筒形状の主胴部と円錐台筒形状の上部とを有し、その上端部には被巻き締めカール１２が形成されている。マウンテンカップ部材６は略円錐台筒形状の中央部１４と、この中央部の外周縁から上方に延びる円筒壁部１６と、円筒壁部１６の上端部に形成された巻き締めカール１８とを有する。マウンテンカップ部材６の巻き締めカール１８が主部４の被巻き締めカール１２に巻き締められており、これによって主部４にマウンテンカップ部材６が固定されている。容器本体２には噴出手段２０が装着されている。この噴出手段２０はマウンテンカップ部材６の中央に上下方向に移動自在に装着された噴出弁部材２２を含んでいる。この噴出弁部材２２は弾性偏倚手段（図示していない）によって図１に示す最上昇位置に弾性的に偏倚されており、その上部はマウンテンカップ部材６から上方に突出せしめられている。
【００１１】
噴出弁部材２２の円筒形である上半部には、ポリプロピレンの如き適宜の合成樹脂から形成することができる押圧部材２４が装着されている。この押圧部材２４は中央柱部２６と外壁部２８とを有する。中央柱部２６は円筒形状であり、下端から上方に延びる噴出路３０が形成されている。かかる噴出路３０の下端部には、上記噴出弁部材２２の上端部の外径に対応せしめられた大径部が形成されており、かかる大径部に上記噴出弁部材２２の上端部を挿入せしめることによって、噴出弁部材２２に押圧部材２４が装着される。押圧部材２４の外壁部２８は円筒状下部と円錐台筒形状の上部とを有する。所定角度部位において上記中央柱部２６の上部と外壁部２８の上部との間には連結部３２が形成されている。図１に明確に図示する如く、上記噴出路３０は中央柱部２６の上端部から更に連結部３２を通って外壁部の外面まで半径方向に延びている。かような容器本体２においては、押圧部材２４を押圧して噴出弁部材２２を下降せしめると、容器本体２の内部が噴出弁部材２２及び押圧部材２４に形成されている噴出路３０を介して外部に連通され、容器本体２内に収容されている液体等の内容物が噴出路３０を通して噴出される。かような容器本体２自体の構成及び作用は既に周知のものであるので、これらの詳細については説明を省略する。
【００１２】
容器本体２の上端部には、本発明に従って構成されたカバー部材３４が装着されている。図１と共に図２及び図３を参照して説明を続けると、ポリプロピレンの如き適宜の合成樹脂から形成することができるカバー部材３４は環状内側壁３６とこの内側壁３６を囲繞する環状外側壁３８とを有する。図示の実施形態においては、内側壁３６と外側壁３８とは共に円筒形状であり、外側壁３８の内径は内側壁３６の外径と略同一であり、外側壁３８の内周面は内側壁３６の外周面に密接せしめられている。内側壁３６と外側壁３８との境界領域下端部には周方向に延びる複数個の弧状溝４０が形成されている。図１及び図２を参照することによって明確に理解される如く、弧状溝４０は内側壁３６の外周面下端部に形成されている弧状凹部と外側壁３８の内周面下端部に形成された弧状凹部とによって規定されている。図２及び図３を参照することによって理解される如く、複数個の弧状溝４０間には易破断橋絡部４２が配設されている。かかる橋絡部４２の各々は、内側壁３６の外周面下端部から外側壁３８の内周面下端部まで半径方向に延びて内側壁３６と外側壁３８とを連結している。内側壁３６の内周面には係止手段４４が配設されている。図示の実施形態における係止手段４４は、内側壁３６の内周面下端部を、次に言及するスリットが存在する部分を除いて、周方向に連続して延びる突条から構成されている。所望ならば、突条に代えて、例えば周方向に間隔をおいて配設されたフラップ片等から係止手段４４を構成することもできる。内側壁３６には、更に、下端から上半部まで実質上鉛直に上方に延びている複数個のスリット４６が周方向に間隔をおいて形成されている。図３を参照することによって理解される如く、橋絡部４２とスリット４６とは交互に配置されている、換言すれば隣接する一対のスリット４６の中間部に橋絡部４２が位置し、隣接する一対の橋絡部４２の中間部にスリット４６が位置せしめられているのが好都合である。図１を参照することによって理解される如く、図示の実施形態においては、内側壁３６に形成されているスリット４６の各々に対応せしめて、外側壁３８の内周面には下端から上方に延びる複数個の溝４８が周方向に間隔をおいて形成されている。
【００１３】
図１乃至図３を参照して説明を続けると、図示の実施形態においては、内側壁３６にはその上端から上方に向かって半径方向内方に傾斜して延びる略円錐台筒形状の上方傾斜壁５０、この上方傾斜壁５０の上端に連結された上端から下方に垂下する円筒形状の内側垂下壁５２が付設されている。内側垂下壁５２は、中央部に位置する円形開口を規定している。上方傾斜壁５０と内側垂下壁５２との間には両者間を半径方向に延びる複数個の放射壁５４が形成されている。外側壁３８にはその上端から下方に向かって半径方向外方に傾斜して延びる下方傾斜壁５６、この下方傾斜壁５６の下端から下方に垂下する第一外側垂下壁５８、第一外側垂下壁５８の下端から半径方向外方に延びるフランジ壁６０、及びフランジ壁６０の外周縁から下方に垂下する第二外側垂下壁６２が付設されている。下方傾斜壁５６と第一垂下壁５８との境界部外周面には周方向に連続して延びる環状突条６４が形成されている。
【００１４】
上述したとおりのカバー部材３４は次のとおりの様式によって好都合に形成することができる。即ち、最初に、内側壁３６の外周面と外側壁３８の内周面とが一体に接続されている形態に、射出乃至圧縮成形する。しかる後に、弧状溝４０間に存在する橋絡部４２を残留せしめて環状に切断して、内側壁３６の外周面と外側壁３８の内周面とを分離する。図１乃至図３においては上記切断によって形成される切断ラインが番号６６によって図示されている。内側壁３６に形成されているスリット４６に対応して外側壁３８の内周面に形成されている溝４８は、切断前の状態において内側壁３６の内周面から半径方向外方に所要深さまで形成されている溝の半径方向最外側即ち底面に整合せしめて上記切断を遂行するのではなく、溝の底面よりも若干半径方向内側位置において上記切断を遂行することによって生成される。
【００１５】
上述したとおりのカバー部材３４は、容器本体２の上方から図１に図示する位置まで下降せしめて容器本体２に装着される。図１に図示する位置までカバー部材３４を下降せしめると、内側壁３６の内周面に形成されている係止手段４４が、内側壁３６の弾性変形等によって容器本体２のマウンテンカップ部材６の巻き締めカール１８を通過してその下方に係止せしめられ、かくして容器本体２にカバー部材３４が係止せしめられる。従って、マウンテンカップ部材６の巻き締めカール１８は、カバー部材３４を係止せしめるためにカバー部材３４の係止手段と協働する被係止手段を構成する。また、カバー部材３４を図１に図示する位置まで下降せしめると、放射壁５４の下端縁がマウンテンカップ部材６の巻き締めカール１８の上端に当接せしめられ、これによってカバー部材３４が図１に図示する位置を越えて更に下降することが阻止される。内側壁３６には周方向に間隔をおいて複数個のスリット４６が形成されているが、外側壁３８の内周面を内側壁３６の外周面に密接せしめて外側壁３８が内側壁３６を囲繞している故に、内側壁３６が比較的小さい力によって半径方向外側に偏倚することは充分確実に防止され、従って内側壁３６の内周面に形成されている係止手段４４は充分強固にマウンテンカップ部材６の巻き締めカール１８に係止せしめられる。
【００１６】
図１に図示する如く、図示の容器は、カバー部材３４に装着される蓋体６８も含んでいる。ポリプロピレンの如き適宜の合成樹脂から形成することができる蓋体６８は円形天面壁７０と、この天面壁７０の周縁から垂下する円筒状スカート壁７２とを有する。スカート壁７２の内周面下端部には周方向に連続して延びる突条７４が形成されている。かような蓋体６８は、図１に図示する如く、スカート壁７２の下端をカバー部材３４のフランジ壁６０の上面に当接せしめ、突条７４をカバー部材３４の突条６４の下方に係止せしめることによって、カバー部材３４に装着される。
【００１７】
上述したとおりの容器において、容器本体２内に収容されている内容物を噴出する時には、カバー部材３４から蓋体６８を離脱せしめる。そして、押圧部材２４を押圧して噴出弁部材２２を下降せしめ、噴出路３０を通して内容物を噴出せしめる。内容物を消費した後に容器を廃品として投棄する時には、蓋体６８をカバー部材３４から離脱せしめて分離する。また、押圧部材２４を上方に引っ張って噴出弁部材２２から離脱せしめて分離する。更に、次のとおりの手順を遂行して容器本体２からカバー部材３４を分離する。最初に、例えば第二外側垂下壁６２に指を掛けて、外側壁３８を上方に強制する。内側壁３６はその係止手段４４が容器本体２のマウンテンカップ部材６の巻き締めカール１８に係止されている故に上昇が阻止され、従って外側壁３８を上方に強制すると内側壁３６と外側壁３８とを連結している橋絡部４２に相当な応力が生成され、これによって橋絡部４２が破断される。かくすると、外側壁３８が内側壁３６から分離され、外側壁３８及びこれに付設されている下方傾斜壁５６、第一外側垂下壁５８、フランジ壁６０及び第二外側垂下壁６２を上昇せしめて容器本体２から分離することができる。外側壁３８が分離されて内側壁３６の拘束が解除されると、内側壁３６にはその下端から上方に延びる複数個のスリット４６が周方向に形成されている故に、内側壁３６、特にその下部は充分容易に半径方向外方に変形せしめられる。従って、内側壁３６及びこれに付設されている上方傾斜壁５０、内側垂下壁５２及び放射壁５４を、上方に引っ張って充分容易に容器本体２から分離することができる。
【００１８】
図４及び図５はカバー部材の変形例を図示している。図４及び図５に図示するカバー部材１３４においては、上方傾斜壁１５０と内側垂下壁１５２との間に両者間を半径方向に延びる放射壁を形成することに代えて、内側垂下壁１５２の外周面から半径方向外方に向かって周方向片側に傾斜して延びる複数個の突出壁１５３を周方向に間隔をおいて形成すると共に、上方傾斜壁１５０の内周面から半径方向内方に向かって周方向片側に傾斜して延びる複数個の突出壁１５５を周方向に間隔をおいて形成している。かような構成を除けば、カバー部材１３４は図１乃至図３に図示するカバー部材３４と同一である。
【００１９】
図４及び図５に図示するカバー部材１３４が容器本体２に装着されている場合には、容器本体２からカバー部材１３４を分離する際に、内側壁１３６と外側壁１３８を連結している橋絡部１４２を次のとおりにして破断することができる。カバー部材１３４から蓋体６８（図１）を離脱せしめ、容器本体２から押圧部材２４（図１）を離脱せしめた後に、容器本体２を倒立状態にせしめてカバー部材１３４の先端（上方傾斜壁１５０及び内側垂下壁１５２の上端）をテーブル上面等に当接せしめ、そして容器本体２を更に下方に強制する。かくすると、マウンテンカップ部材６の巻き締めカール１８に当接せしめられている突出壁１５３及び１５５が幾分弾性的に変形せしめられて、容器本体２と共にカバー部材１３４の外側壁１３８及びこれに付設されている下方傾斜壁１５６、第一外側垂下壁１５８、フランジ壁１６０及び第二外側垂下壁１６２が下降され、従って下降が阻止されている内側壁１３６（並びにこれに付設されている上方傾斜壁１５０、内側垂下壁１５２及び突出壁１５３、１５５）に対して外側壁１３８が相対的に移動せしめられ、これによって内側壁１３６と外側壁１３８とを連結している橋絡部１４２が破断される。
【００２０】
本発明に従って構成されたカバー部材の好適実施形態について図面を参照して詳細に説明したが、本発明はかかる実施形態に限定されるものではなく、本発明の範囲を逸脱することなく種々の変形乃至修正が可能である。例えば、容器本体の上端部に装着されるカバー部材について詳細に説明したが、容器本体の下端部に装着される形態のカバー部材にも本発明を適用することができる。また、図示の実施形態においてはカバー部材と押圧部材とを別個に形成しているが、所望ならば、押圧部材をカバー部材と一体に形成することもできる。
【００２１】
【発明の効果】
本発明のカバー部材は、容器本体に充分確実に係止されるにもかかわらず、廃品として投棄する際には容器本体からナイフ等を使用する必要なくして充分容易に分離することができる。
【図面の簡単な説明】
【図１】本発明に従って構成されたカバー部材の好適実施形態を備えた噴出容器を、一部を断面で示す正面図。
【図２】図１に示す噴出容器におけるカバー部材を、一部を断面で示す正面図。
【図３】図１に示す噴出容器におけるカバー部材の底面図。
【図４】カバー部材の変形例を示す部分断面図。
【図５】図４に示すカバー部材の部分底面図。
【符号の説明】
２：容器本体
４：容器本体主部
６：マウンテンカップ部材
１２：被巻き締めカール
１８：巻き締めカール（被係止手段）
２０：噴出手段
２４：押圧部材
３４：カバー部材
３６：内側壁
３８：外側壁
４２：橋絡部
４４：係止手段
４６：スリット
６６：切断ライン
１３４：カバー部材
１３６：内側壁
１３８：外側壁
１４２：橋絡部
【図１】
0003699200.tif 000002
【図２】
0003699200.tif 000003
【図３】
0003699200.tif 000004
【図４】
0003699200.tif 000005
【図５】
0003699200.tif 000006